(57)【要約】【課題】  ポータブルこんろの安全スイッチの提供。【解決手段】  ノブの上方の押しボタン後端が本体の位置制限溝に係止されることにより、こんろの完全オフ状態を確保でき、且つ幼児がこんろをオンし点火するのを防止できる。このほか、該押しボタンを押圧した後に逆時計回りに該ノブを回す時、押し棒及び調節ロッドが回転し、調節ロッドが調節孔を離れて燃料を排出させ、該押しボタンが押圧される時、押しボタン後端と配置孔の間に空隙があり、これにより押しボタンがノブを回す過程で摩損されない。燃料排出後、該押し棒を押圧して点火器を起動する時、第１凸歯が押し棒内部の第２凸歯の凹凸部分に対応するため、押し棒が調節ロッドに対して前後にスライドし、これにより押し棒が調節ロッドに対して前後にスライドし、押し棒後端の圧接部が点火器を圧迫して点火させ、ゆえに押し棒の移動による摩損を形成しない。【選択図】        図５
0003111939.tif 000002
【実用新案登録請求の範囲】
【請求項１】
安全スイッチ（３０）がガスこんろの配置孔（１２）に取り付けられ、該配置孔（１２）の上方に位置制限溝（１３）が設けられ、該安全スイッチ（３０）が点火器（４１）を起動し及び表面に第１凸歯（３１１）を具えた調節ロッド（３１）を制御して火焔の大きさを制御するのに用いられるポータブルこんろの安全スイッチにおいて、該安全スイッチ（３０）が、
押し棒（３２）であって、該押し棒（３２）内に第２凸歯（３２０）が設けられ、該第２凸歯（３２０）が第１凸歯（３１１）と組み合わされ、且つ該第２凸歯（３２０）と第１凸歯（３１１）が相対平行移動可能で、該押し棒（３２）の後端に圧接部（３２１）が設けられた、上記押し棒（３２）と、
嵌合装置（３５）であって、該嵌合装置（３５）が該押し棒（３２）の外側に嵌合され、該嵌合装置（３５）の表面に第３凸歯（３５０）が設けられた、上記嵌合装置（３５）と、
ノブ（３３）であって、該ノブ（３３）内に第４凸歯（３３６）が設けられ、該第４凸歯（３３６）と第３凸歯（３５０）が組み合わされ、且つ第３凸歯（３５０）と第４凸歯（３３６）が相対平行移動可能であり、ノブ（３３）に収容溝（３３０）が開設された、上記ノブ（３３）と、
押しボタン（３４）であって、該押しボタン（３４）は該ノブ（３３）の収容溝（３３０）内に設けられ、該押しボタン（３４）はノブ（３３）の制御スイッチとされ、該押しボタン（３４）の後端が該位置制限溝（１３）に係止された、上記押しボタン（３４）と、
を包含することを特徴とする、ポータブルこんろの安全スイッチ。
【請求項２】
請求項１記載のポータブルこんろの安全スイッチにおいて、ノブ（３３）の後端に環状に凹溝（３３４）と係止部（３３５）が設けられたことを特徴とする、ポータブルこんろの安全スイッチ。
【請求項３】
請求項１記載のポータブルこんろの安全スイッチにおいて、配置孔（１２）の上方に更に係止部品（１４）が設けられ、凹溝（３３４）と係止部品（１４）の相互係止によりノブ（３３）の前後位置が固定されることを特徴とする、ポータブルこんろの安全スイッチ。
【考案の詳細な説明】
【技術分野】
【０００１】
本考案は一種の安全スイッチに係り、特にポータブルこんろに応用される安全スイッチに関する。
【背景技術】
【０００２】
一般にポータブルこんろのスイッチは、使用者の感覚により開閉が回転制御され、往々にしてスイッチがしっかりオフされたかどうかを掌握できず、このためうっかりして制御スイッチがしっかりとオフされずに燃料が漏洩する情況が発生する。この問題を解決するため、市場には一種の制御装置が出現し、こんろの火を完全に消して燃料の漏洩を防止できるようにしている。図１は周知の制御装置１００を示し、それは上方に収容溝１２１が設けられたスイッチボタン１２０が、円柱形の中空ボタンシート１１０に取り付けられている。並びにスプリング１２２と位置決め軸１２３により押圧部品１２４が収容溝１２１内に取り付けられ、且つ押圧部品１２４の後端がボタンシート開口中の位置制限溝１１１と相互に係合するようにして構成されている。押圧部品１２４が押圧されてスイッチボタン１２０が逆時計回りに回転すると、調節ロッド１３０が調節孔１６１を開放し、燃料が燃料シート１５０、ファイヤノズルシート１６０及びフャイヤノズル１７０の連続チャネルを通り排出される。スイッチボタン１２０の後端には圧接部１２５が設けられ、スイッチボタン１２０が押圧される時、点火器１４０を起動して点火できる。
【０００３】
押圧部品１２４の後端と位置制限溝１１１の相互係止の設計は、燃料を完全に遮断し且つ無漏洩の情況を形成できる。しかし図２及び図３に示されるように、押圧部品１２４を押圧してスイッチボタン１２０が逆時計回りに回転した後、押圧部品１２４の前端及びその凹部１１２と結合する位置制限部１２６はいずれも反復回転によりボタンシート１１０内壁と摩擦を発生し、且つ点火器１４０を起動するためスイッチボタン１２０を押圧する時、押圧部品１２４はスイッチボタン１２０の上方に固定されて、押圧部品１２４の表面はいずれもボタンシート１１０の内壁と摩擦を発生するため、押圧部品１２４の摩損を形成しやすい。
【考案の開示】
【考案が解決しようとする課題】
【０００４】
本考案は一種のポータブルこんろの安全スイッチを提供し、それは、押圧点火時に、装置が押圧の動作により摩損を形成せず、並びに幼児がいたずらでこんろに火を点けるのを防止できるものとする。
【課題を解決するための手段】
【０００５】
請求項１の考案は、安全スイッチ（３０）がガスこんろの配置孔（１２）に取り付けられ、該配置孔（１２）の上方に位置制限溝（１３）が設けられ、該安全スイッチ（３０）が点火器（４１）を起動し及び表面に第１凸歯（３１１）を具えた調節ロッド（３１）を制御して火焔の大きさを制御するのに用いられるポータブルこんろの安全スイッチにおいて、該安全スイッチ（３０）が、
押し棒（３２）であって、該押し棒（３２）内に第２凸歯（３２０）が設けられ、該第２凸歯（３２０）が第１凸歯（３１１）と組み合わされ、且つ該第２凸歯（３２０）と第１凸歯（３１１）が相対平行移動可能で、該押し棒（３２）の後端に圧接部（３２１）が設けられた、上記押し棒（３２）と、
嵌合装置（３５）であって、該嵌合装置（３５）が該押し棒（３２）の外側に嵌合され、該嵌合装置（３５）の表面に第３凸歯（３５０）が設けられた、上記嵌合装置（３５）と、
ノブ（３３）であって、該ノブ（３３）内に第４凸歯（３３６）が設けられ、該第４凸歯（３３６）と第３凸歯（３５０）が組み合わされ、且つ第３凸歯（３５０）と第４凸歯（３３６）が相対平行移動可能であり、ノブ（３３）に収容溝（３３０）が開設された、上記ノブ（３３）と、
押しボタン（３４）であって、該押しボタン（３４）は該ノブ（３３）の収容溝（３３０）内に設けられ、該押しボタン（３４）はノブ（３３）の制御スイッチとされ、該押しボタン（３４）の後端が該位置制限溝（１３）に係止された、上記押しボタン（３４）と、
を包含することを特徴とする、ポータブルこんろの安全スイッチとしている。
請求項２の考案は、請求項１記載のポータブルこんろの安全スイッチにおいて、ノブ（３３）の後端に環状に凹溝（３３４）と係止部（３３５）が設けられたことを特徴とする、ポータブルこんろの安全スイッチとしている。
請求項３の考案は、請求項１記載のポータブルこんろの安全スイッチにおいて、配置孔（１２）の上方に更に係止部品（１４）が設けられ、凹溝（３３４）と係止部品（１４）の相互係止によりノブ（３３）の前後位置が固定されることを特徴とする、ポータブルこんろの安全スイッチとしている。
【考案の効果】
【０００６】
本考案のポータブルこんろの安全スイッチは、ノブの上方の押しボタン後端が本体の位置制限溝に係止されることにより、こんろの完全オフ状態を確保でき、且つ幼児がこんろをオンし点火するのを防止できる。このほか、該押しボタンを押圧した後に逆時計回りに該ノブを回す時、押し棒及び調節ロッドが回転し、調節ロッドが調節孔を離れて燃料を排出させ、該押しボタンが押圧される時、押しボタン後端と配置孔の間に空隙があり、これにより押しボタンがノブを回す過程で摩損されない。燃料排出後、該押し棒を押圧して点火器を起動する時、第１凸歯が押し棒内部の第２凸歯の凹凸部分に対応するため、押し棒じが調節ロッドに対して前後にスライドし、これにより押し棒が調節ロッドに対して前後にスライドし、押し棒後端の圧接部が点火器を圧迫して点火させ、ゆえに押し棒の移動による摩損を形成しない。
【考案を実施するための最良の形態】
【０００７】
本考案は一種のポータブルこんろの安全スイッチを提供し、それは押し棒、嵌合装置、ノブ、及び押しボタンを包含し、並びにポータブルこんろの一側の配置孔内に取り付けられる。そのうち、押し棒は火焔の大きさを調整するための調節ロッドの外側に嵌合され、調節ロッドの一端はファイヤノズルシートの調節孔に接続され、もう一端の表面に複数の第１凸歯が設けられ、第１凸歯と押し棒内部の第２凸歯の凹凸部分が相互に対応し、これにより押し棒が調節ロッドに対して前後にスライド可能とされ、これにより押し棒後端の圧接部が点火器を圧迫して点火できる。嵌合装置は押し棒表面に固定され、該嵌合装置の表面の複数の第３凸歯がノブ内部の複数の第４凸歯の凹凸部分と対応し、該ノブが押し棒の外側に嵌合され、且つ該押し棒が該ノブに対して前後にスライド可能とされ、該ノブの回転により押し棒が駆動されて調節ロッドが回転し、これにより燃料の流量が調整される。
【０００８】
本考案はノブの上方の押しボタン後端が本体の位置制限溝に係止されることにより、こんろの完全オフ状態を確保でき、且つ幼児がこんろをオンし点火するのを防止できる。このほか、該押しボタンを押圧した後に逆時計回りに該ノブを回す時、押し棒及び調節ロッドが回転し、調節ロッドが調節孔を離れて燃料を排出させ、該押しボタンが押圧される時、押しボタン後端と配置孔の間に空隙があり、これにより押しボタンがノブを回す過程で摩損されない。燃料排出後、該押し棒を押圧して点火器を起動する時、第１凸歯が押し棒内部の第２凸歯の凹凸部分に対応するため、押し棒じが調節ロッドに対して前後にスライドし、これにより押し棒が調節ロッドに対して前後にスライドし、押し棒後端の圧接部が点火器を圧迫して点火させ、ゆえに押し棒の移動による摩損を形成せず、使用寿命を延長する長所を有する。
【実施例１】
【０００９】
図４及び図５は本考案のポータブルこんろの安全スイッチ（３０）の外観図及び側面断面図である。それは、本体（１０）、燃料シート（２０）、安全スイッチ（３０）、電子点火装置（４０）、ファイヤノズルシート（５０）及びファイヤノズル（６０）を包含する。そのうち、本体（１０）の上方に五徳（１１）が配置されて加熱物の放置に供される。燃料シート（２０）は本体（１０）の底部に設置されて、燃料の保存に用いられ、ファイヤノズル（５０）は燃料シート（２０）の上方に架設され、並びに上向きにファイヤノズル（６０）に接続されて、貫通チャネルが形成され、燃料がファイヤノズル（６０）より排出される。また、該電子点火装置（４０）は点火器（４１）と電極（４２）を包含し、点火器（４１）は後方の安全スイッチ（３０）により起動され、並びに電極（４２）に瞬間的に放電現象を発生させ、火花を生成させ、その詳細な動作方式については後述する。
【００１０】
本考案のポータブルこんろの安全スイッチ（３０）はポータブルこんろの本体（１０）の一側の配置孔（１２）に取り付けられ、それは、押し棒（３２）、ノブ（３３）、押しボタン（３４）、及び嵌合装置（３５）を包含し、点火器（４１）の起動と調節ロッド（３１）を制御し火焔の大きさを制御するのに用いられる。そのうち、該調節ロッド（３１）の一端はファイヤノズルシート（５０）の調節孔（５１）内に係止され、並びに調節ロッド（３１）のネジ部（３１０）によりファイヤノズルシート（５０）に螺合される。調節ロッド（３１）の別端には複数の第１凸歯（３１１）が設けられ並びに延伸されて本体（１０）の配置孔（１２）より突出する。該押し棒（３２）の内側には複数の第２凸歯（３２０）が設けられ、並びに第２凸歯（３２０）が第１凸歯（３１１）の凹凸部分に対応し、これにより押し棒（３２）が調節ロッド（３１）の外側に嵌合され、押し棒（３２）はまた第１凸歯（３１１）及び第２凸歯（３２０）の設計により調節ロッド（３１）との間に相対前後スライドを発生することができる。また、押し棒（３２）の後端に圧接部（３２１）が設置され、該圧接部（３２１）の後端は点火器（４１）の一端のスプリング（４１１）が嵌合された押圧部（４１０）と相互に接触し、押し棒（３２）が押圧される時、圧接部（３２１）が駆動され内向きに移動し、これにより点火器（４１）の押圧部（４１０）が圧迫されて点火器（４１）が起動される。押圧部（４１０）に対する押圧を解除すると、スプリング（４１１）の弾力により押し棒（３２）がもとの位置に回復する。該嵌合装置（３５）は押し棒（３２）の外側に固定され、嵌合装置（３５）の表面に複数の第３凸歯（３５０）が設けられ、該第３凸歯（３５０）がノブ（３３）の内側の複数の第４凸歯（３３６）と組み合わされ、これによりノブ（３３）が押し棒（３２）の外側に嵌合されて、押し棒（３２）がノブ（３３）に対して前後のスライド可能とされ、且つノブ（３３）が回転する時、押し棒（３２）及び調節ロッド（３１）が連帯して回転し、調節ロッド（３１）と調節孔（５１）の相対位置が改変される。該ノブ（３３）の上方に収容溝（３３０）が設けられ、押しボタン（３４）は収容溝（３３０）の上方の位置決め軸（３３１）及び位置決め軸（３３１）の上方に嵌合されたバネ（３３２）により収容溝（３３０）内に収容され、並びに固定部品（３３３）でノブ（３３）に固定される。押しボタン（３４）の後端は配置孔（１２）の上方の位置制限溝（１３）に収容されて相互に係合する。また、押し棒（３２）の長さはノブ（３３）の長さより大きく、これにより押し棒（３２）の一端がノブ（３３）の一側より突出し、並びにカバーキャップ（３２２）が押し棒（３２）の前端に嵌合される。ノブ（３３）の後端に環状の凹溝（３３４）と係止部（３３５）が設けられ、ノブ（３３）が配置孔（１２）の上方の係止部品（１４）により凹溝（３３４）と係合する設計によりノブ（３３）の位置が固定され、ノブ（３３）が前後移動不能とされるが、係止部品（１４）と凹溝（３３４）の間には空隙があり、これによりノブ（３３）が回転可能とされる。
【００１１】
さらに図５から図８、及び図９から図１１に示されるように、押しボタン（３４）未押圧の時、押しボタン（３４）は恒常的に位置制限溝（１３）内に係止され（図５、図９）、この時、調節ロッド（３１）の前端は調節孔（５１）内に係止され、燃料チャネルは塞がれ、これによりポータブルこんろの完全オフ状態が確保される。使用時には、先ず押しボタン（３４）が押圧されて押しボタン（３４）が位置制限溝（１３）より離脱させられ（図６、図１０）、並びにノブ（３３）が逆時計回りに回され（図７、図１１）、ノブ（３３）により嵌合装置（３５）と押し棒（３２）が駆動され、調節ロッド（３１）が回転し、調節ロッド（３１）が調節孔（５１）より脱出し、燃料が燃料シート（２０）、ファイヤノズルシート（５０）及びファイヤノズル（６０）の連通チャネルを通り外に排出される。押しボタン（３４）を押圧してノブ（３３）を回転させる時、位置制限溝（１３）に係止されていた押しボタン（３４）の後端が位置制限溝（１３）より離脱し、並びにノブ（３３）に伴い逆時計回りに移動する（調節ロッド（３１）の後方のネジ部（３１０）の設置により時計回りの回転に変更することも可能である）。続いて、燃料釈放後、カバーキャップ（３２２）部分で押し棒（３２）を押圧すると（図８）、第２凸歯（３２０）と第１凸歯（３１１）の凹凸の対応設計により、押し棒（３２）が調節ロッド（３１）に対して後ろ向きにスライドし、圧接部（３２１）が押圧部（４１０）を圧迫して点火器（４１）を起動し、電極（４２）に火花を発生させてファイヤノズル（６０）に点火させる。オフする時は、押しボタン（３４）を押して時計回りにノブ（３３）を回して調節ロッド（３１）が調節孔（５１）の方向に移動させて、手を放すと、押しボタン（３４）がバネ（３３２）の作用を受けて、位置制限溝（１３）内に回復し（図５）、こんろの完全オフを達成でき、且つ幼児によるオンを防止できる。
【図面の簡単な説明】
【００１２】
【図１】周知のポータブルこんろの制御装置の側面断面図である。
【図２】図１のＡ−Ａ断面図である。
【図３】図１のＡ−Ａ断面図である。
【図４】本考案の実施例の分解図である。
【図５】本考案の実施例の側面断面図である。
【図６】本考案の実施例の側面断面図である。
【図７】本考案の実施例の側面断面図である。
【図８】本考案の実施例の側面断面図である。
【図９】図５のＢ−Ｂ位置の側面断面図である。
【図１０】図５のＢ−Ｂ位置の側面断面図である。
【図１１】図５のＢ−Ｂ位置の側面断面図である。
【符号の説明】
【００１３】
（１０）本体
（１１）五徳
（１２）配置孔
（２０）燃料シート
（３０）安全スイッチ
（３１）調節ロッド
（３１０）ネジ部
（３１１）第１凸歯
（３２）押し棒
（３２０）第２凸歯
（３２１）圧接部
（３３）ノブ
（３３０）収容溝
（３３１）位置決め軸
（３２２）カバーキャップ
（３３２）バネ
（３３３）固定部品
（３３４）凹溝
（３３５）係止部
（３３６）第４凸歯
（３４）押しボタン
（３５）嵌合装置
（３５０）第３凸歯
（４０）電子点火装置
（４１）点火器
（４１０）押圧部
（４１１）スプリング
（４２）電極
（５０）ファイヤノズルシート
（５１）調節孔
（６０）ファイヤノズル
（１３）位置制限溝
【図１】
0003111939.tif 000003
【図２】
0003111939.tif 000004
【図３】
0003111939.tif 000005
【図４】
0003111939.tif 000006
【図５】
0003111939.tif 000007
【図６】
0003111939.tif 000008
【図７】
0003111939.tif 000009
【図８】
0003111939.tif 000010
【図９】
0003111939.tif 000011
【図１０】
0003111939.tif 000012
【図１１】
0003111939.tif 000013